(57)【要約】【課題】  デザイン的にも機能的にも優れた時計バンド用のプッシュバックルを提供することにある。【解決手段】  時計バンド用プッシュバックル１０は、上箱２０と中板３０と下板４０とを備える。上箱２０は、平面略コ字形に形成され、その凹部２１に１２時側の時計バンドを取り付けるとともにプッシュボックス２２を設けている。中板３０は、一端側を上箱２０（プッシュボックス２２）に、他端側を下板４０にそれぞれ回動自在に連結して、上箱２０と下板４０を重なるように三折りさせるものである。下板４０は、６時側の時計バンドを反上箱側に取り付ける取付部４１を有するとともに、上箱側には上箱２０に設けられたプッシュボックス２２の中留孔へ挿入し係止される係止突起４２を有するものである。【選択図】  図１
0003163403.tif 000002
【実用新案登録請求の範囲】
【請求項１】
上箱と中板と下板とを備えた時計バンド用プッシュバックルであって、
上箱は、平面略コ字形に形成されるとともに、その凹部に１２時側の時計バンドを取り付け、
中板は、一端側を上箱に、他端側を下板にそれぞれ回動自在に連結して、上箱と下板を重なるように三折りさせ、
下板は、６時側の時計バンドを反上箱側に取り付ける取付部を有するとともに、上箱側には上箱に設けられたプッシュボックスの中留孔へ挿入し係止される係止突起を有する、ことを特徴とする時計バンド用プッシュバックル。
【請求項２】
上箱は、平面略コ字形に形成されるとともに、その凹部に接続パーツを介在させて１２時側の時計バンドを取り付けることを特徴とする請求項１記載の時計バンド用プッシュバックル。
【請求項３】
プッシュボックスは上箱の凹部に取り付けられる時計バンド又は接続パーツの下側に設けられ、時計バンド又は接続パーツの裏面に形成された溝部に嵌合することを特徴とする請求項１又は２記載の時計バンド用プッシュバックル。
【請求項４】
時計バンドが皮革製又は樹脂製であることを特徴とする請求項１，２又は３記載の時計バンド用プッシュバックル。
【請求項５】
請求項１から４のいずれかに記載の時計バンド用プッシュバックルを備えたことを特徴とする時計バンド。
【請求項６】
請求項５記載の時計バンドを備えたことを特徴とする腕時計。
【考案の詳細な説明】
【技術分野】
【０００１】
本願考案は、上箱と中板と下板とを備えた時計バンド用プッシュバックルに関するものである。
【背景技術】
【０００２】
上箱と中板と下板とを備えた時計バンド用プッシュバックル、特に皮革製又は樹脂製の時計バンド用プッシュバックルに関する先行技術文献としては、特許文献１および特許文献２がある。
【０００３】
特許文献１は、図５（Ａ）に示すように、上箱の側壁に切欠部を設け、該切欠部にばね張りしたプッシュ部を臨ませ、該上箱に二つ折れ中留を連結し、該中留の下板を幾分そり曲げる強化構造にして手首廻りになじみよく当たる薄型にて形成し、該下板の中間上に前記プッシュ部の開閉止孔に掛脱する掛止用ボッチのほか、皮バンド，ウレタンバンドの一端を裏側に挿し通しする通し孔と該バンドの並列止孔を選択して刺し止めするボッチとからなるバンド長を調整するアジャスト機構を設けたことを特徴とする皮バンド，ウレタンバンド用のプッシュ式中留が開示されている。
【０００４】
特許文献２は、図５（Ｂ）に示すように、挿通枠に他方のバンド部材の端部を挿通して、挿通枠を、中板部材、下板部材に対して折り畳んだ状態で、挿通枠の調整ピンが、バンド部材の長さ調整穴を介して、プッシュボタンケース本体に形成された回転防止手段に係合するとともに、下板部材に形成された係止ピンが、プッシュボタンケース本体に形成された係止部材に係合することによって、一方のバンド部材の端部と、他方のバンド部材の端部とを相互に連結するように構成されている中留構造が開示されている。
【先行技術文献】
【特許文献】
【０００５】
【特許文献１】実用新案登録第３０６１１９１号公報
【特許文献２】特開２００６−１１５９９２号公報
【考案の概要】
【考案が解決しようとする課題】
【０００６】
しかしながら、特許文献１に開示されたプッシュ式中留は、上箱が安っぽくて、厚みがあり、デザイン的に必ずしも優れているとは言えなかった。
また、特許文献２に開示された中留構造は、時計バンドの剣先側を腕時計の１２時側に取り付けることになり、通常の取り付け方と異なる（通常、剣先側は６時側に取り付ける）。また、時計バンドの剣先側が外側に出ることになり、引っ掛かり易くなる。
【０００７】
そこで、本願考案者は、上記したような従来の上箱と中板と下板とを備えた時計バンド用プッシュバックルの課題を解決して、デザイン的にも機能的にも優れた時計バンド用のプッシュバックルを提供すべく研究及び開発を行い、本願考案を完成するに至った。
【課題を解決するための手段】
【０００８】
上記目的を達成するために、第１の考案は、上箱と中板と下板とを備えた時計バンド用プッシュバックルであって、上箱は、平面略コ字形に形成されるとともに、その凹部に１２時側の時計バンドを取り付け、中板は、一端側を上箱に、他端側を下板にそれぞれ回動自在に連結して、上箱と下板を重なるように三折りさせ、下板は、６時側の時計バンドを反上箱側に取り付ける取付部を有するとともに、上箱側には上箱に設けられたプッシュボックスの中留孔へ挿入し係止される係止突起を有することを特徴とするものである。
第２の考案は、上箱は、平面略コ字形に形成されるとともに、その凹部に接続パーツを介在させて１２時側の時計バンドを取り付けることを特徴とする同時計バンド用プッシュバックルである。
第３の考案は、プッシュボックスは上箱の凹部に取り付けられる時計バンド又は接続パーツの下側に設けられ、時計バンド又は接続パーツの裏面に形成された溝部に嵌合することを特徴とする同時計バンド用プッシュバックルである。
第４の考案は、時計バンドが皮革製又は樹脂製であることを特徴とする同時計バンド用プッシュバックルである。
第５の考案は、第１から第４の考案に係る時計バンド用プッシュバックルを備えたことを特徴とする時計バンドである。
第６の考案は、第５の考案に係る時計バンドを備えたことを特徴とする腕時計である。
【考案の効果】
【０００９】
本願考案によれば、以下のような効果を有する。
（１）上箱が平面略コ字形に形成されるとともに、その凹部に１２時側の時計バンドを取り付けることで、上箱の部分を美錠タイプのようなデザインにできる。また、これによって、すっきりとした薄型タイプに見える効果を奏する。
（２）上箱に１２時側の時計バンドを、下板に６時側の時計バンドを取り付けることで、剣先側の時計バンドが腕時計の６時側に取り付けられることになり、通常の美錠タイプの時計バンドと同じ取り付け方にできる。また、剣先側の時計バンドが内側（下側）に位置することとなり、剣先の引っ掛かりがなくなる効果を奏する。
（３）上箱の凹部に接続パーツを介在させて１２時側の時計バンドを取り付けることで、既製の時計バンドを当該上箱に取り付けて使用することができる。
（４）プッシュボックスは上箱の凹部に取り付けられる時計バンド又は接続パーツの下側に設けられて時計バンド又は接続パーツの裏面に形成された溝部に嵌合することで、上箱の厚さを抑制し、薄型のプッシュバックルを提供できる。
（５）時計バンドに皮革製又は樹脂製のものを使用することで、これまでにない美錠タイプの皮革用又は樹脂用薄型プッシュバックルを提供できる。
【図面の簡単な説明】
【００１０】
【図１】本願考案の時計バンド用プッシュバックルを示す説明用斜視図（１）。
【図２】本願考案の時計バンド用プッシュバックルを示す説明用斜視図（２）。
【図３】本願考案の時計バンド用プッシュバックルの使用状態を示す説明図（１）。
【図４】本願考案の時計バンド用プッシュバックルの使用状態を示す説明図（２）。
【図５】従来技術（特許文献１及び特許文献２）を示す説明図。
【考案を実施するための形態】
【００１１】
本願考案に係る実施形態を図面に基づいて説明する。
図１及び図２は、本願考案の時計バンド用プッシュバックルをそれぞれ異なる角度から示す説明用斜視図である。
図１及び図２に図示するように、時計バンド用プッシュバックル１０は、上箱２０と中板３０と下板４０とを備える。上箱２０は、平面略コ字形に形成され、その凹部２１に１２時側の時計バンドを取り付けるとともにプッシュボックス２２を設けている。中板３０は、一端側を上箱２０（プッシュボックス２２）に、他端側を下板４０にそれぞれ回動自在に連結して、上箱２０と下板４０を重なるように三折りさせるものである。下板４０は、６時側の時計バンドを反上箱側に取り付ける取付部４１を有するとともに、上箱側には上箱２０に設けられたプッシュボックス２２の中留孔（図示省略）へ挿入し係止される係止突起４２を有するものである。
【００１２】
図３は、本願考案の時計バンド用プッシュバックルの使用状態を示す説明図である。
図３（Ａ）は、時計バンド用プッシュバックル１０に時計バンドを取り付ける状態を示す。まず、上箱２０には凹部２１に２本のバネ棒（図示省略）を使用して１２時側の時計バンド７０を取り付ける。これにより、上箱２０の部分を美錠タイプのようなデザインにできて、薄型タイプのすっきりした見栄えあるデザインとなる。この時、凹部２１に設けられたプッシュボックス２２を嵌合するように時計バンド７０の裏面に溝部７１を形成すると、上箱２０の厚さを抑制し、薄型の時計バンド用プッシュバックル１０を提供できる。なお、符号２４及び７２は、バネ棒を通すための挿通孔である。また、下板４０には反中板側に６時側の時計バンド７５を通す挿通口４３を形成し、この挿通口４３を通した時計バンド７５の小穴を反上箱側に突起する取付部４１へ差し込んで時計バンド７５を下板４０に取り付ける。
【００１３】
図３（Ｂ）は、図３（Ａ）のようにして時計バンド用プッシュバックル１０に時計バンド７０，７５を取り付けて、時計バンド用プッシュバックル１０を三折りした状態の平面図（上図）と側面図（下図）である。平面図（上図）に図示されたように、上箱２０の部分が美錠タイプのようなデザインとなっており、薄型タイプのすっきりした見栄えあるデザインを提供している。また、側面図（下図）に図示されたように、厚みの無い薄型のデザインが提供されるとともに、剣先側の時計バンド（６時側の時計バンド）７５が１２時側の時計バンド７０の内側（下側）に位置することとなり、剣先の引っ掛かりがなくなる効果を有する。
【００１４】
図４は、本願考案の時計バンド用プッシュバックルのその他の使用状態を示す説明図である。
図４（Ａ）は、上箱２０の凹部２１に接続パーツ５０を介在させて既製の時計バンド（１２時側）７３を取り付けたものである。図４（Ａ）のように接続パーツ５０を介在させて時計バンド（１２時側）７３を取り付けることで、既製の時計バンドを上箱２０に取り付けて使用することができるようになる。なお、接続パーツ５０は、例えば樹脂製（ウレタン製，シリコン製等）や金属製のものであって時計バンドの色彩に合わせたものであるとよい。また、図３に図示した時計バンド７０の溝部７１と同様に、接続パーツ５０の裏面に溝部５１を形成するとよい。
【００１５】
図４（Ｂ）は、接続パーツ５０を既製の時計バンド７３が取り付けられる構造（形状）のものにした一例の平面図である。接続パーツを介在させる目的は既製の時計バンドを上箱２０に取り付けて使用することができるようにするためであるので、既製の時計バンドの構造（形状）に対応させた接続パーツが必要になるのである。
なお、既製の時計バンドを使用する場合には、上箱を平面略コ字形に形成されたものに限るものではなく、一般的な三折れプッシュバックルで用いられる上箱（屋根付き上箱）を用いてもよい。
【産業上の利用可能性】
【００１６】
本願考案は、時計バンドのプッシュバックルとして広く利用できるものである。特に、皮革製又は樹脂製時計バンドに利用できるが、これに限らずその他の時計バンドにも利用できるものである。
【符号の説明】
【００１７】
１０  時計バンド用プッシュバックル
２０  上箱
２１  凹部
２２  プッシュボックス
２４  挿通孔
３０  中板
４０  下板
４１  取付部
４２  係止突起
４３  挿通口
５０  接続パーツ
５１  溝部
７０  時計バンド（１２時側）
７１  溝部
７２  挿通孔
７３  時計バンド（１２時側）
７５  時計バンド（６時側）
【図１】
0003163403.tif 000003
【図２】
0003163403.tif 000004
【図３】
0003163403.tif 000005
【図４】
0003163403.tif 000006
【図５】
0003163403.tif 000007